(57)【要約】  【課題】  布地に刺繍模様を刺繍し且つ印刷図柄を印刷する場合に、刺繍模様の外形輪郭と、印刷図柄の内形輪郭又は外形輪郭とがずれることなく、刺繍と印刷とを融合できるようにすること。  【解決手段】  刺繍模様カウンタＮのカウント値で指示される刺繍データが読込まれ（Ｓ14）、刺繍データの解析処理が実行される（Ｓ15）。その解析処理の結果に基づいて、縫目形式（サテン縫目、タタミ縫い）に応じた補正値Ａを求める演算処理が実行され（Ｓ30，Ｓ31）、更に、糸密度、刺繍領域の面積等、種々の刺繍条件に応じた補正値Ｈａ〜Ｈｅを加味した総合的な補正値Ａが求められ（Ｓ19〜Ｓ23）、刺繍領域と印刷領域の位置関係に応じて（Ｓ24）、刺繍データと印刷データの何れか一方を補正するデータ補正処理が実行される（Ｓ25〜Ｓ27）。【選択図】  図７
2006181202.tif 000002
【特許請求の範囲】
【請求項１】
布地にプリンタで印刷する印刷データとその印刷領域に重複的に刺繍可能なミシンで刺繍する刺繍データとを処理するデータ処理装置であって、
前記印刷データと前記刺繍データを作成するか又は外部から読込むデータ準備手段と、  前記刺繍により発生する布地の収縮により印刷領域の外形輪郭と刺繍領域の外形輪郭とがずれないように、データ準備手段から受ける印刷データと刺繍データの少なくとも一方を所定の条件に従って補正するデータ補正手段と、
を備えたことを特徴とするデータ処理装置。
【請求項２】
布地にプリンタで印刷する印刷データとその印刷領域で囲撓される刺繍領域に刺繍可能なミシンで刺繍する刺繍データとを処理するデータ処理装置であって、
前記印刷データと前記刺繍データを作成するか又は外部から読込むデータ準備手段と、  前記刺繍により発生する布地の収縮により印刷領域の内形輪郭と刺繍領域の外形輪郭とがずれないように、データ準備手段から受ける印刷データと刺繍データの少なくとも一方を所定の条件に従って補正するデータ補正手段と、
を備えたことを特徴とするデータ処理装置。
【請求項３】
前記データ準備手段は、外部から受ける刺繍データに基づいて印刷データを作成することを特徴とする請求項１又は２に記載のデータ処理装置。
【請求項４】
前記データ準備手段は、外部から受ける画像データに基づいて、印刷データと刺繍データを作成することを特徴とする請求項１又は２に記載のデータ処理装置。
【請求項５】
前記データ補正手段は、前記印刷領域を所定方向へ縮小するように前記印刷データを補正することを特徴とする請求項１〜３の何れかに記載のデータ処理装置。
【請求項６】
前記データ補正手段は、前記刺繍データに基づいて縫目の方向を判別し、その縫目方向に印刷領域を縮小するように前記印刷データを補正することを特徴とする請求項５に記載のデータ処理装置。
【請求項７】
前記データ補正手段は、前記刺繍データに基づいて縫目の形式を判別し、その縫目形式が所定の縫目形式である場合に、前記印刷データを補正することを特徴とする請求項５に記載のデータ処理装置。
【請求項８】
前記データ補正手段は、前記刺繍データに基づいて縫目の糸密度を判別し、その糸密度に応じて前記印刷データを補正することを特徴とする請求項５に記載のデータ処理装置。  
【請求項９】
前記データ補正手段は、前記刺繍データに基づいて前記刺繍領域の面積を判別し、その面積に応じて前記印刷データを補正することを特徴とする請求項５に記載のデータ処理装置。
【請求項１０】
前記布地の種類を指定する布指定手段を有し、前記データ補正手段は前記布指定手段により指定された布地種類に応じて前記印刷データを補正することを特徴とする請求項５に記載のデータ処理装置。
【請求項１１】
前記刺繍に用いる刺繍糸の種類を指定する糸指定手段を有し、前記データ補正手段は前記糸指定手段により指定された糸種類に応じて前記印刷データを補正することを特徴とする請求項５に記載のデータ処理装置。
【請求項１２】
前記刺繍に際して布地を保持する刺繍枠の種別を指定する枠種別指定手段を有し、前記データ補正手段は前記枠種別指定手段により指定された刺繍枠の種別に応じて前記印刷データを補正することを特徴とする請求項５に記載のデータ処理装置。
【請求項１３】
前記データ補正手段は、前記刺繍領域を所定方向へ拡大するように前記刺繍データを補正することを特徴とする請求項１〜３の何れかに記載のデータ処理装置。
【請求項１４】
前記データ補正手段は、前記刺繍データに基づいて縫目の方向を判別し、その縫目方向に刺繍領域を拡大するように前記刺繍データを補正することを特徴とする請求項１２に記載のデータ処理装置。
【請求項１５】
前記データ補正手段は、前記刺繍データに基づいて縫目の形式を判別し、その縫目形式が所定の縫目形式である場合に、前記刺繍データを補正することを特徴とする請求項１２に記載のデータ処理装置。
【請求項１６】
前記データ補正手段は、前記刺繍データに基づいて縫目の糸密度を判別し、その糸密度に応じて前記刺繍データを補正することを特徴とする請求項１２に記載のデータ処理装置。
【請求項１７】
前記データ補正手段は、前記刺繍データに基づいて前記刺繍領域の面積を判別し、その面積に応じて前記刺繍データを補正することを特徴とする請求項１２に記載のデータ処理装置。
【請求項１８】
前記布地の種類を指定する布指定手段を有し、前記データ補正手段は前記布指定手段により指定された布地種類に応じて前記刺繍データを補正することを特徴とする請求項１２に記載のデータ処理装置。
【請求項１９】
前記刺繍に用いる刺繍糸の種類を指定する糸指定手段を有し、前記データ補正手段は前記糸指定手段により指定された糸種類に応じて前記刺繍データを補正することを特徴とする請求項１３に記載のデータ処理装置。
【請求項２０】
前記刺繍に際して布地を張る刺繍枠の種別を指定する枠種別指定手段を有し、前記データ補正手段は前記枠種別指定手段により指定された刺繍枠の種別に応じて前記刺繍データを補正することを特徴とする請求項１２に記載のデータ処理装置。
【請求項２１】
刺繍可能なミシンで刺繍模様を布地に刺繍する刺繍データとその刺繍模様に隣接状に印刷する印刷データとを処理するデータ処理装置であって、
前記刺繍データを作成するか又は外部から読込むデータ準備手段と、
前記刺繍により布地が収縮する収縮領域を、前記データ準備手段から受ける刺繍データに基づく所定の条件に従って演算する収縮領域演算手段と、
前記収縮領域演算手段により求められた収縮領域に印刷する印刷データを作成する印刷データ作成手段と、
を備えたことを特徴とするデータ処理装置。
【請求項２２】
前記データ準備手段は、外部から受ける画像データに基づいて刺繍データを作成することを特徴とする請求項２１に記載のデータ処理装置。
【発明の詳細な説明】
【技術分野】
【０００１】
本発明は、布地に刺繍と印刷を混在させる場合に、刺繍により発生する布地の収縮や縫いずれに対処するように、刺繍データと印刷データの少なくとも一方を補正するようにしたものに関する。
【背景技術】
【０００２】
従来、多数の針落ち点データ（所謂、ステッチデータ）からなる刺繍データを用いて刺繍ミシンにより布地に刺繍するだけでなく、最近では、刺繍データからビットマップデータである印刷データに展開し、刺繍模様をプリンタで印刷できるようになっている。
【０００３】
例えば、特許文献１に記載の多機能刺繍システムは、刺繍データに基づいて、刺繍領域の輪郭線を抽出し、更に、その輪郭線で規定される領域全体に亙ってビットマップデータに展開することにより、刺繍データから画像データを作成する技術が開示されている。
【０００４】
この場合の刺繍データには、刺繍領域毎の刺繍データの先頭部に刺繍縫いを行う際の糸色を示す色指定データ（糸色データ）が夫々含まれており、その色指定データを画像データに付随させることにより、刺繍領域（輪郭線内の領域）を実際に縫製する際の色でカラー表示させたり、プリンタによりカラー印刷できるようにしてある。
【０００５】
ところで、近年、加工布に印刷が可能なプリンタが実用化されてきている。そこで、例えば、Ｔシャツ等の布地にプリンタを用いて印刷すると共に、刺繍ミシンにより刺繍を施すことにより、刺繍の良さと印刷の良さとを融合させて、風合いの有るＴシャツを作成したいという要望がある。
【特許文献１】特開平１１−７６６６２号公報  （第９頁、図１３）
【発明の開示】
【発明が解決しようとする課題】
【０００６】
一般的に、ミシンにより刺繍模様を刺繍した布地には縫い縮みが発生し、刺繍模様が大きい程、また収縮性に優れた布地に刺繍する程、その縫い縮みが顕著になる。そこで、複数の模様を描いた画像の画像データに基づいて、印刷データと刺繍データとを作成し、その印刷データを用いてプリンタにより印刷するとともに、その刺繍データを用いてミシンにより刺繍した場合、前述した特許文献１に記載の印刷技術においては、布地の縫い縮みに対処していないため、刺繍を施した刺繍模様に対して印刷を施した印刷図柄に位置ずれが生じる。
【０００７】
その為、刺繍模様と印刷図柄とを重複させる場合には、刺繍模様から印刷図柄の一部が食み出したり、印刷図柄の内部に、印刷図柄と重ならないように刺繍模様を嵌め込む場合には、刺繍模様と印刷図柄との間、つまりこれらの図柄境界部に微小ではあるが隙間が生じることになり、刺繍模様と印刷図柄とを混在させた立体感や風合い感が損なわれること、等の問題がある。
【課題を解決するための手段】
【０００８】
請求項１に係るデータ処理装置は、布地にプリンタで印刷する印刷データとその印刷領域に重複的に刺繍可能なミシンで刺繍する刺繍データとを処理するデータ処理装置であって、印刷データと刺繍データを作成するか又は外部から読込むデータ準備手段と、刺繍により発生する布地の収縮により印刷領域の外形輪郭と刺繍領域の外形輪郭とがずれないように、データ準備手段から受ける印刷データと刺繍データの少なくとも一方を所定の条件に従って補正するデータ補正手段とを備えたものである。
【０００９】
作成された又は外部から読込んだ印刷データと刺繍データとがデータ準備手段に格納されているので、そのデータ準備手段から受けた印刷データと刺繍データに基づいて、印刷領域と刺繍領域とを重複させるようにして印刷と刺繍とを行う場合に、刺繍による布地の収縮の発生を考慮し、データ補正手段により印刷領域の外形輪郭と刺繍領域の外形輪郭とがずれないように、即ち、布地が収縮しても印刷領域の一部が刺繍領域より外側に食み出さないように、印刷データと刺繍データの少なくとも一方について、縫製条件等の所定の条件に従って補正される。
【００１０】
請求項２に係るデータ処理装置は、布地にプリンタで印刷する印刷データとその印刷領域で囲撓される刺繍領域に刺繍可能なミシンで刺繍する刺繍データとを処理するデータ処理装置であって、印刷データと刺繍データを作成するか又は外部から読込むデータ準備手段と、刺繍により発生する布地の収縮により印刷領域の内形輪郭と刺繍領域の外形輪郭とがずれないように、データ準備手段から受ける印刷データと刺繍データの少なくとも一方を所定の条件に従って補正するデータ補正手段とを備えたものである。
【００１１】
作成された又は外部から読込んだ印刷データと刺繍データとがデータ準備手段に格納されているので、そのデータ準備手段から受けた印刷データと刺繍データに基づいて、印刷領域で刺繍領域を囲撓するようにして印刷と刺繍とを行う場合に、刺繍による布地の収縮の発生を考慮し、データ補正手段により印刷領域の内形輪郭と刺繍領域の外形輪郭とがずれないように、即ち、布地が収縮しても印刷領域とその外側の刺繍領域との境界部に、部分的にでも隙間が生じないように、印刷データと刺繍データの少なくとも一方について、縫製条件等の所定の条件に従って補正される。
【００１２】
請求項３に係るデータ処理装置は、請求項１又は２の発明において、前記データ準備手段は、外部から受ける刺繍データに基づいて印刷データを作成するものである。
【００１３】
請求項４に係る刺繍データ処理装置は、請求項１又は２の発明において、前記データ準備手段は、外部から受ける画像データに基づいて、印刷データと刺繍データを作成するものである。
【００１４】
請求項５に係るデータ処理装置は、請求項１〜３の何れかの発明において、前記データ補正手段は、印刷領域を所定方向へ縮小するように印刷データを補正するものである。
【００１５】
請求項６に係るデータ処理装置は、請求項５の発明において、前記データ補正手段は、刺繍データに基づいて縫目の方向を判別し、その縫目方向に印刷領域を縮小するように印刷データを補正するものである。
【００１６】
請求項７に係るデータ処理装置は、請求項５の発明において、前記データ補正手段は、刺繍データに基づいて縫目の形式を判別し、その縫目形式が所定の縫目形式である場合に、印刷データを補正するものである。
【００１７】
請求項８に係るデータ処理装置は、請求項５の発明において、前記データ補正手段は、刺繍データに基づいて縫目の糸密度を判別し、その糸密度に応じて印刷データを補正するものである。
【００１８】
請求項９に係るデータ処理装置は、請求項５の発明において、前記データ補正手段は、刺繍データに基づいて刺繍領域の面積を判別し、その面積に応じて印刷データを補正するものである。
【００１９】
請求項１０に係るデータ処理装置は、請求項５の発明において、前記布地の種類を指定する布指定手段を有し、データ補正手段は布指定手段により指定された布地種類に応じて印刷データを補正するものである。
【００２０】
請求項１１に係るデータ処理装置は、請求項５の発明において、前記刺繍に用いる刺繍糸の種類を指定する糸指定手段を有し、データ補正手段は糸指定手段により指定された糸種類に応じて印刷データを補正するものである。
【００２１】
請求項１２に係るデータ処理装置は、請求項５の発明において、前記刺繍に際して布地を保持する刺繍枠の種別を指定する枠種別指定手段を有し、データ補正手段は枠種別指定手段により指定された刺繍枠の種別に応じて印刷データを補正するものである。
【００２２】
請求項１３に係るデータ処理装置は、請求項１〜３の何れかの発明において、前記データ補正手段は、刺繍領域を所定方向へ拡大するように刺繍データを補正するものである。  
【００２３】
請求項１４に係るデータ処理装置は、請求項１２の発明において、前記データ補正手段は、刺繍データに基づいて縫目の方向を判別し、その縫目方向に刺繍領域を拡大するように刺繍データを補正するものである。
【００２４】
請求項１５に係るデータ処理装置は、請求項１２の発明において、前記データ補正手段は、刺繍データに基づいて縫目の形式を判別し、その縫目形式が所定の縫目形式である場合に、刺繍データを補正するものである。
【００２５】
請求項１６に係るデータ処理装置は、請求項１２の発明において、前記データ補正手段は、刺繍データに基づいて縫目の糸密度を判別し、その糸密度に応じて刺繍データを補正するものである。
【００２６】
請求項１７に係るデータ処理装置は、請求項１２の発明において、前記データ補正手段は、刺繍データに基づいて刺繍領域の面積を判別し、その面積に応じて刺繍データを補正するものである。
【００２７】
請求項１８に係るデータ処理装置は、請求項１２の発明において、前記布地の種類を指定する布指定手段を有し、データ補正手段は布指定手段により指定された布地種類に応じて刺繍データを補正するものである。
【００２８】
請求項１９に係るデータ処理装置は、請求項１２の発明において、前記刺繍に用いる刺繍糸の種類を指定する糸指定手段を有し、データ補正手段は糸指定手段により指定された糸種類に応じて刺繍データを補正するものである。
【００２９】
請求項２０に係るデータ処理装置は、請求項１２の発明において、前記刺繍に際して布地を張る刺繍枠の種別を指定する枠種別指定手段を有し、データ補正手段は枠種別指定手段により指定された刺繍枠の種別に応じて刺繍データを補正するものである。
【００３０】
請求項２１に係るデータ処理装置は、刺繍可能なミシンで刺繍模様を布地に刺繍する刺繍データとその刺繍模様に隣接状に印刷する印刷データとを処理するデータ処理装置であって、刺繍データを作成するか又は外部から読込むデータ準備手段と、刺繍により布地が収縮する収縮領域を、データ準備手段から受ける刺繍データに基づく所定の条件に従って演算する収縮領域演算手段と、収縮領域演算手段により求められた収縮領域に印刷する印刷データを作成する印刷データ作成手段とを備えたものである。
【００３１】
作成された又は外部から読込んだ刺繍データがデータ準備手段に格納されているので、そのデータ準備手段から受けた刺繍データに基づいて刺繍を行う場合に、刺繍により布地が収縮する収縮領域が縫製条件等の所定の条件に従って演算で求められ、刺繍が施されない収縮領域を補足するように印刷する為の印刷データが作成される。
【００３２】
請求項２２に係るデータ処理装置は、請求項２１の発明において、前記データ準備手段は、外部から受ける画像データに基づいて刺繍データを作成するものである。
【発明の効果】
【００３３】
請求項１の発明によれば、布地にプリンタで印刷する印刷データとその印刷領域に重複的に刺繍可能なミシンで刺繍する刺繍データとを処理するデータ処理装置であって、データ準備手段と、データ補正手段とを設けたので、印刷領域と刺繍領域とを重複させるようにして印刷と刺繍とを行う場合に、刺繍により布地の収縮が発生する場合であっても、印刷領域の外形輪郭と刺繍領域の外形輪郭とがずれないように、印刷データと刺繍データの少なくとも一方を補正するため、印刷図柄の一部が刺繍模様から外側に食み出すようなことがなく、刺繍模様と印刷図柄とを確実に重複させた綺麗な布製品を作成することができる。
【００３４】
請求項２の発明によれば、布地にプリンタで印刷する印刷データとその印刷領域で囲撓される刺繍領域に刺繍可能なミシンで刺繍する刺繍データとを処理するデータ処理装置であって、データ準備手段と、データ補正手段とを設けたので、印刷領域で刺繍領域を囲撓するようにして印刷と刺繍とを行う場合に、刺繍により布地の収縮が発生する場合であっても、印刷領域の内形輪郭と刺繍領域の外形輪郭とがずれないように、印刷データと刺繍データの少なくとも一方を補正するため、印刷領域とその外側の刺繍領域との境界部に、部分的にでも隙間が生じることがなく、風合い感や立体感、更にはゴージャス感を十分に表現できるような布製品を綺麗に作成することができる。
【００３５】
請求項３の発明によれば、前記データ準備手段は、外部から受ける刺繍データに基づいて刺繍図柄を印刷する為の印刷データを作成する。この場合、外部から印刷用の印刷データを受けなくても、刺繍データの印刷データ化が図れ、データ作成作業の容易化を図ることができる。その他請求項１又は２と同様の効果を奏する。
【００３６】
請求項４の発明によれば、前記データ準備手段は、外部から受ける画像データに基づいて、印刷データと刺繍データを作成する。この場合、外部から画像データを受けるだけで、その画像データを有効に用いて、印刷データと刺繍データの両データ化を図ることができる。その他請求項１又は２と同様の効果を奏する。
【００３７】
請求項５の発明によれば、前記データ補正手段は、印刷領域を所定方向へ縮小するように印刷データを補正する。この場合、刺繍により発生する布地の収縮を見込んで、印刷領域を布地が収縮する所定方向に合わせて縮小させるように、印刷データを縮小補正するため、刺繍領域の外形輪郭に対する印刷領域の外形又は内径輪郭を確実に一致させることができ、布製品の仕上がり体裁や見栄えを向上させることができる。その他請求項１〜３の何れかと同様の効果を奏する。
【００３８】
請求項６の発明によれば、前記データ補正手段は、刺繍データに基づいて縫目の方向を判別し、その縫目方向に印刷領域を縮小するように印刷データを補正する。この場合、刺繍により布地が収縮する縫目方向に合わせて印刷領域を縮小するだけの簡単な縮小補正を印刷データに施すことにより、刺繍領域に対する印刷領域の位置ずれを確実に防止でき、布製品の仕上がり体裁や見栄えを向上させることができる。その他請求項５と同様の効果を奏する。
【００３９】
請求項７の発明によれば、前記データ補正手段は、刺繍データに基づいて縫目の形式を判別し、その縫目形式が所定の縫目形式である場合に、印刷データを補正する。この場合、例えば「サテン縫目」等の所定の縫目形式の刺繍データにより刺繍した場合に、布地の収縮度合いが大きくなる可能性が高いので、縫目形式に応じた収縮補正を印刷データに施すことにより、刺繍領域に対する印刷領域の位置ずれを確実に防止でき、布製品の仕上がり体裁や見栄えを向上させることができる。その他請求項５と同様の効果を奏する。
【００４０】
請求項８の発明によれば、前記データ補正手段は、刺繍データに基づいて縫目の糸密度を判別し、その糸密度に応じて印刷データを補正する。この場合、糸密度の大きさに応じて布地の収縮度合いが異なるので、糸密度に応じた収縮補正を印刷データに施すことにより、刺繍領域に対する印刷領域の位置ずれを確実に防止でき、布製品の仕上がり体裁や見栄えを向上させることができる。その他請求項５と同様の効果を奏する。
【００４１】
請求項９の発明によれば、前記データ補正手段は、刺繍データに基づいて刺繍領域の面積を判別し、その面積に応じて印刷データを補正する。この場合、刺繍領域の面積の大きさに応じて布地の収縮度合いが異なるので、その刺繍領域の面積に応じた収縮補正を印刷データに施すことにより、刺繍領域に対する印刷領域の位置ずれを確実に防止でき、布製品の仕上がり体裁や見栄えを向上させることができる。その他請求項５と同様の効果を奏する。
【００４２】
請求項１０の発明によれば、前記布地の種類を指定する布指定手段を有し、データ補正手段は布指定手段により指定された布地種類に応じて印刷データを補正する。この場合、縫目の種類に応じて布地の収縮度合いが異なるので、その布地種類に応じた収縮補正を印刷データに施すことにより、刺繍領域に対する印刷領域の位置ずれを確実に防止でき、布製品の仕上がり体裁や見栄えを向上させることができる。その他請求項５と同様の効果を奏する。
【００４３】
請求項１１の発明によれば、前記刺繍に用いる刺繍糸の種類を指定する糸指定手段を有し、データ補正手段は糸指定手段により指定された糸種類に応じて印刷データを補正する。この場合、刺繍糸の種類に応じて布地の収縮度合いが異なるので、その糸種類に応じた収縮補正を印刷データに施すことにより、刺繍領域に対する印刷領域の位置ずれを確実に防止でき、布製品の仕上がり体裁や見栄えを向上させることができる。その他請求項５と同様の効果を奏する。
【００４４】
請求項１２の発明によれば、前記刺繍に際して布地を保持する刺繍枠の種別を指定する枠種別指定手段を有し、データ補正手段は枠種別指定手段により指定された刺繍枠の種別に応じて印刷データを補正する。この場合、刺繍枠の種別に応じて布地の収縮度合いが異なる（一般的に、大きな枠に布地を保持した場合の方が縫い縮みが生じ易い）ので、その刺繍枠の種別に応じた収縮補正を印刷データに施すことにより、刺繍領域に対する印刷領域の位置ずれを確実に防止でき、布製品の仕上がり体裁や見栄えを向上させることができる。
【００４５】
請求項１３の発明によれば、前記データ補正手段は、刺繍領域を所定方向へ拡大するように刺繍データを補正する。この場合、刺繍により発生する布地の収縮を見込んで、刺繍領域を布地が収縮する所定方向に合わせて拡大させるように、刺繍データを拡大補正するため、刺繍領域の外形輪郭に対する印刷領域の外形又は内径輪郭を確実に一致させることができ、布製品の仕上がり体裁や見栄えを向上させることができる。その他請求項１〜３の何れかと同様の効果を奏する。
【００４６】
請求項１４の発明によれば、前記データ補正手段は、刺繍データに基づいて縫目の方向を判別し、その縫目方向に刺繍領域を拡大するように刺繍データを補正する。この場合、刺繍により布地が収縮する縫目方向に合わせて刺繍領域を拡大するだけの簡単な拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。
【００４７】
請求項１５の発明によれば、前記データ補正手段は、刺繍データに基づいて縫目の形式を判別し、その縫目形式が所定の縫目形式である場合に、刺繍データを補正する。この場合、例えば「サテン縫目」等の所定の縫目形式の刺繍データにより刺繍した場合に、布地の収縮度合いが大きくなる可能性が高いので、縫目形式に応じた拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。  
【００４８】
請求項１６の発明によれば、前記データ補正手段は、刺繍データに基づいて縫目の糸密度を判別し、その糸密度に応じて前記刺繍データを補正する。この場合、糸密度の大きさに応じて布地の収縮度合いが異なるので、糸密度に応じた拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。
【００４９】
請求項１７の発明によれば、前記データ補正手段は、刺繍データに基づいて刺繍領域の面積を判別し、その面積に応じて刺繍データを補正する。この場合、刺繍領域の面積の大きさに応じて布地の収縮度合いが異なるので、その刺繍領域の面積に応じた拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。
【００５０】
請求項１８の発明によれば、前記布地の種類を指定する布指定手段を有し、データ補正手段は布指定手段により指定された布地種類に応じて刺繍データを補正する。この場合、縫目の種類に応じて布地の収縮度合いが異なるので、その布地種類に応じた拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。
【００５１】
請求項１９の発明によれば、前記刺繍に用いる刺繍糸の種類を指定する糸指定手段を有し、データ補正手段は糸指定手段により指定された糸種類に応じて刺繍データを補正する。この場合、刺繍糸の種類に応じて布地の収縮度合いが異なるので、その糸種類に応じた拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。
【００５２】
請求項２０の発明によれば、前記刺繍に際して布地を保持する刺繍枠の種別を指定する枠種別指定手段を有し、データ補正手段は枠種別指定手段により指定された刺繍枠の種別に応じて前記刺繍データを補正する。この場合、刺繍枠の種別に応じて布地の収縮度合いが異なるので、その刺繍枠の種別に応じた拡大補正を刺繍データに施すことにより、印刷領域に対する刺繍領域の位置ずれを確実に防止でき、布製品の仕上がり体裁や見栄えを向上させることができる。その他請求項１２と同様の効果を奏する。
【００５３】
請求項２１の発明によれば、刺繍可能なミシンで刺繍模様を布地に刺繍する刺繍データとその刺繍模様に隣接状に印刷する印刷データとを処理するデータ処理装置であって、データ準備手段と、収縮領域演算手段と、印刷データ作成手段とを設けたので、作成された又は外部から読込んだ刺繍データに基づいて刺繍を行う場合に、所定の条件に従って布地が収縮する収縮領域が求められ、その刺繍が施されない収縮領域を補足するように印刷データが作成され、その印刷データで収縮領域に補足印刷されるため、刺繍領域の収縮を印刷で補足でき、布製品の風合い感や立体感、更にはゴージャス感を十分に表現することができる。
【００５４】
請求項２２の発明によれば、前記データ準備手段は、外部から受ける画像データに基づいて刺繍データを作成する。この場合、外部から刺繍データを受けなくても、画像データの刺繍データ化が図れ、刺繍データ作成作業の容易化を図ることができる。その他請求項２１と同様の効果を奏する。
【発明を実施するための最良の形態】
【００５５】
本実施例におけるデータ処理装置は、布地に対して、プリンタにより印刷図柄を印刷するとともに、刺繍ミシンにより刺繍模様を刺繍縫いする際に、印刷図柄と刺繍模様とが重なるように配置する場合や刺繍模様が印刷図柄で囲撓されるように配置する場合において、縫製条件や縫製パラメータに基づいて、印刷図柄を印刷する為の印刷データと、刺繍模様を刺繍縫いする為の刺繍データとの少なくとも一方を補正することにより、刺繍縫いにより発生する布地の収縮（所謂、縫い縮み）に対処するものである。
【実施例】
【００５６】
先ず、図１に示すように、データ処理装置１に、インクジェットプリンタ３を備えた刺繍ミシン２が電気的に接続され、この刺繍ミシン２に接続された枠駆動装置４は、各種の形状の刺繍枠５を着脱可能に装着し、刺繍縫いに際してだけでなく、インクジェットプリンタ３による印刷に際して、その刺繍枠５を直交する２方向（Ｘ方向とＹ方向）に移動駆動できるようになっている。
【００５７】
データ処理装置１は、図２に示すパーソナルコンピュータからなり、制御全体を司る制御装置１０、この制御装置１０に接続されたマウス１１と、キーボード１２と、イメージスキャナ１３と、ディスプレイ１４等を備えている。制御装置１０は、ＣＰＵ２１とＲＯＭ２２とＲＡＭ２３とこれらを接続するバス２４とを含むマイクロコンピュータと、バス２４に接続されハードディスク（ＨＤ）２５を備えたハードディスクドライブ（ＨＤＤ）２６と、入出力インターフェース２７等を有する。
【００５８】
また、バス２４には、フレキシブルディスクの為のフレキシブルディスクドライブ（ＦＤＤ）２８と、ＣＤ−ＲＯＭの為のＣＤ−ＲＯＭドライブ２９も接続されている。入出力インターフェース２７には、キーボード１２と、マウス１１と、イメージスキャナ１３と、ディスプレイ１４を駆動する為の表示駆動回路３０と、通信用インターフェース（通信用Ｉ／Ｆ）３１を介して刺繍ミシン２とが夫々接続されている。
【００５９】
ＲＯＭ２２には、パーソナルコンピュータの電源ＯＮ時に、パーソナルコンピュータを起動させる起動プログラム等が格納されている。ＲＡＭ２３には、イメージスキャナ１３やフレキシブルディスクやＣＤ−ＲＯＭから読み込んだ印刷図柄の為の画像データを格納する画像データメモリ、刺繍模様の為の刺繍データを格納する刺繍データメモリ、ＣＰＵ２１で演算処理した演算結果を収容する各種メモリ、バッファ、ポインタ、カウンタ等が必要に応じて設けられている。
【００６０】
一方、ハードディスクには、ＯＳ（オペレーティング・システム）や、マウス１１とキーボード１２とイメージスキャナ１３とディスプレイ１４等を使用可能とする為の各種のドライバ、アプリケーションプログラム等が組み込まれると共に、イメージスキャナ１３やフレキシブルディスクやＣＤ−ＲＯＭから記録されている画像データや刺繍データを読み込む読込み制御プログラム、その読み込まれた画像データや刺繍データを画像データメモリや刺繍データメモリに格納するデータ入力制御プログラム、画像データから印刷データと刺繍データを作成するデータ処理制御プログラム、刺繍データから印刷データを作成する印刷データ作成制御プログラム、後述のデータ処理制御の為の制御プログラム（図７参照）等、各種の制御プログラムも格納されている。
【００６１】
但し、前述した刺繍データや印刷データは、ハードディスクに格納される場合もある。ここで、刺繍データは、例えば図３に示すように、刺繍模様の名称を示す刺繍模様名データ、刺繍縫いを行う際の糸色を示す糸色コード、刺繍模様の大きさに応じて定められるものであって、刺繍縫いの際に布地を張って保持する為の刺繍枠５の種類を示す枠指定コード、刺繍縫いを行う為の針落ち点の位置を示す縫目データ（次の針落ち点の位置までの刺繍枠の移動量／布送り量を示す相対座標データ）、及び刺繍ミシン２に対して糸切りの実行を指示する為の糸切りコード等により構成されている。
【００６２】
尚、この図３に示す刺繍データは、図１１に示す用紙Ｙに描かれた「樹」の図柄Ｚを、緑系色にて「サテン縫目」で縫製する場合の刺繍データを一例として示すものである。
【００６３】
ここで、フレキシブルディスクやＣＤ−ＲＯＭに記録されている刺繍データを外部から受けてＲＡＭ２３の刺繍データメモリに格納するデータ入力制御プログラム、データ処理制御プログラム、印刷データ作成制御プログラム等がデータ準備手段に相当する。
【００６４】
ハードディスクには、更に、図４に示すように、後述の補正条件と刺繍条件と補正値とを対応させた補正値テーブルＴ１と、図５に示すように、縫目形式（サテン縫目、タタミ縫目）と補正率（ａ：３％、ｂ：１％）とを対応させた補正率テーブルＴ２とが夫々格納されている。
【００６５】
ここで、補正値テーブルＴ１について補足説明する。刺繍縫いを行う際に、ニット生地に刺繍縫いを行う場合や、ナイロン製の糸を用いて刺繍縫いを行う場合、それぞれ他の材質の布地（例えば、織地）や糸（例えば、ポリエステル）を用いて刺繍縫いを行う場合に比べて、布地の収縮（縫い縮み）が発生し易いので、本実施例においては、このような布地の収縮が生じ易い点を考慮して、刺繍データや印刷データを補正する為の補正値が図４に示すように予め設定されている。
【００６６】
刺繍縫いを行う対象の布地を保持する刺繍枠５に関しても、刺繍枠５の大きさが大きくなるほど、布地の収縮が発生し易い傾向にあること、更に刺繍縫いの際の糸密度や刺繍領域の面積に関しても、これらが大きくるほど布地の収縮が発生し易い傾向にあることより、同様に、これらの点を考慮して、刺繍データや印刷データの補正を行う為の補正値が予め定められている。また、補正率テーブルＴ２に関しても、サテン縫目やタタミ縫目については、走り縫目と比べて布地の縫い縮みが生じるようになるため、この点を考慮して、刺繍データや印刷データの補正を行う為の補正率が図５に示すように定められている。
【００６７】
図６に示すように、刺繍ミシン２の刺繍ミシン本体２ａには、通信用インターフェース（通信用Ｉ／Ｆ）４１を介してデータ処理装置１に接続された制御ユニット４２、各種操作スイッチ４３、主軸位置検出センサ４４、ミシンモータ４５及びその駆動回路４６等が設けられている。ミシンモータ４５により主軸（図示略）が回転駆動されて針棒上下駆動機構（図示略）により針棒が上下に往復駆動され、その針棒に取付けられた縫針と、ベッド部に設けられた糸捕捉機構（図示略）とが協動して、刺繍枠５に保持された布地Ｗに刺繍縫目が形成される。
【００６８】
インクジェットプリンタ３には、制御ユニット５１、各種操作スイッチ５２、４色（シアン，マゼンタ，イエロー，ブラック）の為の４列のインクノズルをユニット化したプリントヘッド５３、ヘッド昇降モータ５４、パージ駆動モータ５５、パージ移動モータ５６、これらプリントヘッド５３及びモータ５４〜５６の為の駆動回路５７〜６０が設けられている。プリントヘッド５３は、制御ユニット５１から印字指令を受けると、圧電セラミックアクチュエータの撓みによりインクを下側の布地Ｗに向けてインクノズルからが噴射する。
【００６９】
枠駆動装置４には、キャリッジ位置検出センサ６１、刺繍枠５をＸ方向に移動させるＸ方向駆動モータ６２とその駆動回路６３、刺繍枠５をＹ方向に移動させるＹ方向駆動モータ６４とその駆動回路６５等が設けられている。枠駆動装置４は、刺繍ミシン本体２ａの制御ユニット４２やインクジェットプリンタ３の制御ユニット５１から枠移動信号を受けると、Ｘ方向駆動モータ６２とＹ方向駆動モータ６４を駆動させて刺繍枠５をＸ方向とＹ方向とに駆動させる。
【００７０】
次に、データ処理装置１の制御装置で実行されるデータ処理制御のルーチンについて、図７〜図１０のフローチャートに基づいて説明する。但し、図中の符号Ｓｉ（ｉ＝１１、１２、１３・・・）は各ステップである。また、この制御が実行されるに際して、前述したように、図１１に示す「樹」の図柄Ｚをイメージスキャナ１３で読み取った画像データに基づいて、図柄を印刷する為の印刷データと刺繍縫いする為の刺繍データとが夫々作成さているものとする。
【００７１】
図１３に示すように、ディスプレイ１４に表示されたメインメニューのうちの「データ処理」を選択すると、データ処理制御が開始される。先ず、ディスプレイ１４に刺繍条件設定画面が表形式で表示される（Ｓ11）。そこで、作業者により、「布地種類」、「刺繍糸種類」等の複数の刺繍条件に加えて、刺繍による布地の収縮を補正する補正対象等の各種パラメータが設定される（Ｓ12）。
【００７２】
次に、刺繍模様カウンタＮのカウント値として初期値「１」がセットされ（Ｓ13）、予め選択された刺繍データのうちの刺繍模様カウンタＮで指示する刺繍模様の刺繍データが読み込まれる（Ｓ14）。次に、その刺繍データに基づいて、縫目の形式や刺繍領域等を検索する為の解析処理が実行される（Ｓ15）。ここで、刺繍データの解析による刺繍模様を、「サテン縫い」と「タタミ縫い」と「走り縫い」の縫目形式で分割する分割処理について簡単に説明する。
【００７３】
先ず、刺繍データに含まれる各針落ち点（合計ｎ個とする）を、縫製順にＰｉ（ｉ＝１，２ｐ・・・，ｎ）とする。変数ｉに初期値「１」をセットし、針落ち点Ｐｉを原点として直交座標系を設定する。図１２−１，図１２−２に示すように、針落ち点Ｐｉから針落ち点Ｐi+1 へ至る方向にＸ軸を設け、Ｘ軸に対して針落ち点Ｐｉを中心に反時計回りに９０°回転した方向にＹ軸を設け、針落ち点Ｐi+1 の座標（Ｘi+1 ，０）と針落ち点Ｐi+2 の座標（Ｘi+2 ，Ｙi+2 ）を読み込み、ＲＡＭ２３の座標メモリに記憶する。
【００７４】
次に、Ｘi+1 とＸi+2 との値を比較し、Ｘｉ+1の方が大きい場合には、針落ち点Ｐi+1 の属性を仮輪郭に設定し、Ｘi+2 ≧Ｘi+1 の場合には、針落ち点Ｐi+1 の属性を仮走りとして設定する。ここで、図１２−１に示すように、針落ち点Ｐi+1 が輪郭点である場合、その両側のステッチＳｉ，Ｓi+1 に折り返しが発生する。この場合、Ｘi+2 の値はＸi+1 の値よりも小さくなる（Ｘi+2 ＜Ｘi+1 ）。
【００７５】
そこで、この場合、針落ち点Ｐi+1 の属性を、輪郭点と推定できるという意味で仮輪郭とし、針落ち点Ｐi+1 が走り点である場合、図１２−２に示すように、Ｘi+2 ≧Ｘi+1 となる。そこで、この場合、針落ち点Ｐi+1 の属性を、走り点と推定できるという意味で仮走りとする。尚、針落ち点Ｐ1 ，Ｐn には、強制的に仮走りの属性を付与する。
【００７６】
このように、変数ｉの値を順次増加させながら、これらの処理を繰り返し実行し、ｉ＋１＝ｎとなった場合、つまりｉ＋１＝２〜ｎ−１の全ての針落ち点Ｐi+1 に対して仮輪郭または仮走りの属性を付与したことになる。そこで、次のように縫目形式の分類を行う。先ず、変数ｉに１，２，３，・・・を順次セットしながら、針落ち点Ｐi+1 に仮輪郭の属性が付与されているか否かを判断する。Ｐi+1 が仮走りの場合は、変数ｉに次の大きな値をセットして再度判断する。
【００７７】
一方、針落ち点Ｐi+1 が仮輪郭の場合、その針落ち点Ｐi+1 が、仮走りの属性を付与された針落ち点と隣接しているか否か、すなわち、針落ち点Ｐｉ又はＰi+2 の何れかが仮走りであるか否かを判断する。仮走りと隣接している場合、その針落ち点Ｐi+1 に仮輪郭の属性を付与したループで記憶したＹi+2 を読み出す。
【００７８】
その針落ち点Ｐｉの前後に配設される仮輪郭の針落ち点に対して同様に記憶されたＹi+2 と異符号である場合には、針落ち点Ｐi+1 の縫目属性を仮タタミ輪郭とし、同符号である場合には、針落ち点Ｐi+1 の縫目属性を仮走りとする。
【００７９】
一方、仮輪郭の針落ち点Ｐi+1 が仮走りの針落ち点と隣接していない場合であって、Ｙi+2 の符号が前後の仮輪郭で交互に入れ替わっている場合、その針落ち点Ｐi+1 を仮サテン輪郭とし、Ｙi+2 の符号が交互に入れ替わっていない場合は、その針落ち点Ｐi+1 を仮走りとする。
【００８０】
そして、最終的に、仮タタミ輪郭の属性を付与された全ての針落ち点のデータについて、前後の針落ち点の形状や、糸密度、タタミパタン等を検出し、それに基づいて刺繍模様の輪郭を確定する処理を実行し、タタミ縫いを行うタタミ刺繍領域を確定する。
【００８１】
また、仮サテン輪郭の属性を付与された全ての針落ち点のデータについて、前後の針落ち点の形状，糸密度等を検出し、それに基づいて刺繍模様の輪郭を確定する処理を実行し、サテン縫いを行うサテン刺繍領域を確定する。
【００８２】
最後に、これら仮タタミ輪郭や仮サテン輪郭として確定されなかった残りの針落ち点のデータに対し、その針落ち点を走り点として縫目ピッチと形状に従った確定を行い、走り縫いを行う走り刺繍領域を確定する。
【００８３】
次に、刺繍データの解析結果に基づいて、糸密度が演算により求められるとともに、刺繍領域の面積が演算により求められる（Ｓ16）。即ち、針落ち点Ｐの座標に基づいて、１mm当たりの縫糸の本数である糸密度が求められ、更に、針落ち点Ｐで決定される刺繍領域の座標値からその面積が求められる。
【００８４】
次に、刺繍データの解析結果、サテン刺繍領域が確定されて、刺繍データがサテン縫目で構成される場合には（Ｓ17：Yes ）、補正率テーブルＴ２から読み込んだ補正率ａ(3％) に縫目ピッチＰを掛け算した補正値Ａを求める演算が実行される（Ｓ30) 。一方、刺繍データの解析結果に基づいて、タタミ刺繍領域が確定されて、刺繍データはタタミ縫目の場合には（Ｓ18：Yes ）、補正率テーブルＴ２から読み込んだ補正率ｂ(1％) に縫目方向長さＬを掛け算した補正値Ａを求める演算が実行される（Ｓ31) 。
【００８５】
ここで、縫目ピッチＰとは縫目の長さであり、縫目方向長さＬとは一方の輪郭点から他方の輪郭点までの長さである。次に、刺繍データの解析結果に基づいて糸密度が求められ、その糸密度に対応する補正値Ｈａが補正値テーブルＴ１から読み出され、補正値Ａは、補正値Ｈａを加算した値に更新される（Ｓ19）。次に、刺繍データの解析結果に基づいて刺繍領域の面積が求められ、その面積に対応する補正値Ｈｂが補正値テーブルＴ１から読み出され、補正値Ａは、補正値Ｈｂを加算した値に更新される（Ｓ20）。
【００８６】
次に、Ｓ12で設定された刺繍条件に基づいて、設定された布地種類に応じた補正値Ｈｃが補正値テーブルＴ１から読み出され、補正値Ａは、補正値Ｈｃを加算した値に更新される（Ｓ21）。次に、Ｓ12で設定された刺繍条件に基づいて、設定された刺繍枠種類に応じた補正値Ｈｄが補正値テーブルＴ１から読み出され、補正値Ａは、補正値Ｈｄを加算した値に更新される（Ｓ22）。
【００８７】
次に、Ｓ12で設定された刺繍条件に基づいて、設定された刺繍糸種類に応じた補正値Ｈｅが補正値テーブルＴ１から読み出され、補正値Ａは、補正値Ｈｅを加算した値に更新される（Ｓ23）。次に、Ｓ12で設定された刺繍条件に基づいて、設定された領域の位置関係が判定され（Ｓ24）、印刷領域に刺繍領域を重複させる場合には、重複する位置関係におけるデータ補正制御（図８参照）が実行される（Ｓ25）。
【００８８】
この制御が開始されると、先ず、Ｓ12で設定された刺繍条件に基づいて、補正対象のデータが判定され（Ｓ41）、刺繍データを補正する場合には、刺繍領域の縫目方向に対応する（略直交する）左右１対（又は上下１対）の縫目方向外形輪郭が、補正値Ａの半分ずつ夫々外側に移動される（Ｓ42）。次に、このように、縫目方向に拡大された刺繍領域に刺繍する刺繍データが作成され（Ｓ43）この制御を終了して、データ処理制御のＳ28にリターンする。
【００８９】
一方、補正対象のデータが判定され（Ｓ41）、印刷データを補正する場合には、印刷領域の縫目方向に対応（略直交する）する左右１対（又は上下１対）の縫目方向外形輪郭が、補正値Ａの半分ずつ夫々外側に移動される（Ｓ44）。次に、このように、縫目方向に拡大された印刷領域に印刷する印刷データが作成され（Ｓ45）この制御を終了する。
【００９０】
また、設定された領域の位置関係が判定された結果（Ｓ24）、刺繍領域を印刷領域に囲撓させる場合には、囲撓する位置関係におけるデータ補正制御（図９参照）が実行される（Ｓ26）。この制御が開始されると、先ず、Ｓ12で設定された刺繍条件に基づいて、補正対象のデータが判定され（Ｓ51）、刺繍データを補正する場合には、刺繍領域の縫目方向に対応する（略直交する）左右１対（又は上下１対）の縫目方向外形輪郭が、補正値Ａの半分ずつ夫々外側に移動される（Ｓ52）。
【００９１】
次に、このように、縫目方向に拡大された刺繍領域に刺繍する刺繍データが作成され（Ｓ53）、この制御を終了して、データ処理制御のＳ28にリターンする。一方、補正対象のデータが判定され（Ｓ51）、印刷データを補正する場合には、印刷領域の縫目方向に対応する（略直交する）左右１対（又は上下１対）の縫目方向外形輪郭が、補正値Ａの半分ずつ夫々内側に移動される（Ｓ54）。次に、このように、縫目方向に縮小された印刷領域に印刷する印刷データが作成され（Ｓ55）この制御を終了する。
【００９２】
ところで、設定された領域の位置関係が判定された結果（Ｓ24）、刺繍領域を並列させる場合には、並列する位置関係における補正制御（図１０参照）が実行される（Ｓ27）。この制御が開始されると、先ず、収縮領域が演算により求められる（Ｓ61）。この収縮領域演算処理においては、印刷領域の縫目方向に対応する（略直交する）左右１対（又は上下１対）の縫目方向外形輪郭については、補正値Ａの半分ずつの収縮が夫々見込まれるため、刺繍領域の対向する１対の縫目方向外形輪郭の内側に、補正値Ａの半分に対応する幅を有する収縮領域が求められる。
【００９３】
次に、その収縮領域の各々に印刷する印刷データが作成され（Ｓ62）、この制御を終了して、データ処理制御のＳ28にリターンする。但し、Ｓ62においては、刺繍データに有する糸色コードに対応する色で印刷する色データが自動的に付加される。
【００９４】
データ処理制御において、刺繍模様カウンタＮで指示する刺繍模様が最終でない場合には（Ｓ28：No）、刺繍模様カウンタＮのカウンタ値が１つインクリメントされ（Ｓ29）、Ｓ14以降が繰り返して実行される。そして、刺繍模様カウンタＮで指示する刺繍模様が最終の場合には（Ｓ28：Yes ）、この制御を終了する。
【００９５】
ここで、データ処理制御の特にＳ25、Ｓ26、Ｓ27等からデータ補正手段が構成され、データ処理制御の特にＳ11〜Ｓ12等から布指定手段と、糸指定手段と、枠種別指定手段が構成されている。更に、並列する位置関係におけるデータ補正制御の特にＳ61等から収縮領域演算手段が構成され、並列する位置関係における補正制御の特にＳ62等から印刷データ作成手段が構成されている。
【００９６】
次に、このように構成されたデータ処理装置１の作用及び効果について説明する。
ディスプレイ１４にメインメニューが表示されているので、先ず、作業者がそのうちの「データ作成」を選択し、イメージスキャナ１３で読み取った「樹」の図柄Ｚ（図１１参照）の画像データに基づいて、印刷データが作成されるとともに、刺繍データが作成される。
【００９７】
そこで、作業者は、ディスプレイ１４に表示されたメインメニューのうちの「データ処理」を選択すると、ディスプレイ１４に、図１３に示す「刺繍条件設定メニュー」が表示される。作業者は、表示された設定メニューに基づいて、例えば「補正の有無」については「する」、「布地種類」については「ニット生地」、「刺繍糸種類」については「ナイロン」、「刺繍枠種別」については「大枠」、「補正対象」については「刺繍データ」、「領域の位置関係」については「重複」を夫々設定し、実行を指示する。
【００９８】
先ず、図３に示す刺繍データの解析処理により、サテン縫目の領域が求められ、これにより、刺繍領域の面積と、糸密度とが求められる。そこで、サテン縫目に関する補正値Ａが、補正率ａと縫目ピッチＰとに基づく演算により求められ、その基本的な補正値Ａに、糸密度(40.本/mm 以上) による補正値Ｈａ(0.1mm) と、刺繍領域の面積(5000mm2以下) による補正値Ｈｂ(0mm) と、布地種類による補正値Ｈｃ（0.1mm)と、刺繍枠種類による補正値Ｈｄ(0.1mm) と、糸種類による補正値Ｈｅ（0.1mm)とを加算した総合補正値Ａが求められる。
【００９９】
次に、刺繍領域と印刷領域とが重複する位置関係であって、刺繍データを補正する場合には、図１４に示すように、刺繍領域の縫目方向（この場合、図において左右方向）に対応する（略直交する）左右の縫目方向外形輪郭が、補正値Ａの半分ずつ夫々外側に移動（２点鎖線で図示）される。そして、このように縫目方向に拡大された２点鎖線で示す刺繍領域に刺繍する刺繍データが作成される。
【０１００】
この刺繍データを作成する場合、刺繍領域がその形状に応じて複数のブロックに分割され、ブロック毎にサテンの縫目の針落ち点が求められる。このように拡大補正された刺繍データに基づいて、刺繍枠５に張られた布地Ｗに刺繍が施された場合、刺繍領域を刺繍による収縮分に応じて縫目方向に拡大しているため、図１５に示すように、刺繍枠５にセットされた布地Ｗが刺繍により収縮しても、「樹」の図柄Ｚは元々の大きさである。
【０１０１】
この状態で、次に印刷データに基づいて印刷された場合、印刷領域の外形輪郭と刺繍領域の外形輪郭とがずれることなく、略位置するようになり、刺繍模様「樹」と印刷図柄「樹」とを確実に重複させた布製品を綺麗に作成することができる。但し、図１５において、刺繍によるサテン縫目をジグザグ状の縫目線で図示し、印刷については複数の点で図示する。
【０１０２】
ここで、刺繍データに代えて印刷データを補正する場合には、刺繍領域の縫目方向に対応する左右の縫目方向外形輪郭が、補正値Ａの半分ずつ夫々内側に移動され、このように縫目方向に縮小された印刷領域に印刷する印刷データが作成される。
【０１０３】
このように、データ処理装置１により、印刷領域と刺繍領域とを重複させるようにして印刷と刺繍とを行う場合に、刺繍により布地Ｗが収縮する場合であっても、印刷領域の外形輪郭と刺繍領域の外形輪郭とがずれないように、印刷データと刺繍データの少なくとも一方を補正するため、印刷図柄「樹」の一部が刺繍模様「樹」から外側に食み出するようなことがなく、刺繍模様「樹」と印刷図柄「樹」とを確実に重複させた布製品を綺麗に作成することができる。
【０１０４】
ところで、図１６に示すように、用紙Ｙに描かれた樹図柄Ｚと矩形枠図柄Ｋについて、イメージスキャナ１３で読み取られた画像データに基づいて、樹図形Ｚの刺繍データが作成されるとともに、その樹図形Ｚを切り抜いた矩形枠図柄Ｋの印刷データが作成される。即ち、樹図形Ｚの刺繍領域が矩形枠図柄Ｋの印刷領域に囲撓されるものである。
【０１０５】
そして、「刺繍条件設定メニュー」において、図１７に示すように、「領域の位置関係」について、「重複」に代えて「囲撓」を設定した場合には、前述したように、刺繍データが解析処理されるとともに、種々の補正値Ｈａ〜Ｈｅを加算した総合的な補正値Ａが求められる。
【０１０６】
刺繍領域と印刷領域とが囲撓する位置関係であって、刺繍データを補正するので、図１４について前述したように、刺繍領域の縫目方向に対応する左右の縫目方向外形輪郭が、補正値Ａの半分ずつ夫々外側に移動される。そして、このように縫目方向に拡大された２点鎖線で示す刺繍領域に刺繍する刺繍データが作成される。
【０１０７】
このように拡大補正された刺繍データに基づいて、刺繍枠５に張られた布地Ｗに刺繍が施された場合、刺繍領域を刺繍による収縮分に応じて縫目方向に拡大しているため、図１８に示すように、刺繍により布地Ｗが収縮しても、樹図柄Ｚは元々の大きさである。
【０１０８】
次に印刷データに基づいて印刷された場合、印刷領域の内形輪郭と刺繍領域の外形輪郭とがずれることなく、略一致するようになり、刺繍模様を印刷図柄内に確実に嵌め込んだ布製品を綺麗に作成することができる。但し、図１８において、刺繍によるサテン縫目をジグザグ状の縫目線で図示し、印刷については斜線で図示する。
【０１０９】
ここで、刺繍データに代えて印刷データを補正する場合には、刺繍領域の縫目方向に対応する左右の縫目方向外形輪郭が、補正値Ａの半分ずつ夫々内側に移動され、このように縫目方向に縮小された印刷領域に印刷する印刷データが作成される。
【０１１０】
このように、データ処理装置１により、印刷領域で刺繍領域を囲撓するようにして印刷と刺繍とを行う場合に、刺繍により布地Ｗが収縮する場合であっても、印刷領域の内形輪郭と刺繍領域の外形輪郭とがずれないように、印刷データと刺繍データの少なくとも一方を予め求めた補正値ａにより補正するため、印刷領域とその外側の刺繍領域との境界部に、部分的にでも隙間が生じることがなく、風合い感や立体感、更にはゴージャス感を十分に表現できるような布製品を綺麗に作成することができる。
【０１１１】
ところで、図１９に示すように、用紙Ｙに描かれた左右１対の矩形の図柄模様ＫＡ，ＫＢについて、イメージスキャナ１３で読み取られた画像データに基づいて、左側の矩形図形ＫＡの刺繍データが作成されるとともに、右側の矩形図形ＫＢの刺繍データが作成される。即ち、左右１対の矩形図柄図柄ＫＡ，ＫＢを相互に隣接させた並列状に刺繍するものである。
【０１１２】
そして、「刺繍条件設定メニュー」において、図２０に示すように、「領域の位置関係」について、「囲撓」に代えて「並列」を設定した場合には、前述したように、矩形図形ＫＡ，ＫＢの各々の刺繍データについて夫々解析処理されるとともに、刺繍データ毎に種々の補正値Ｈａ〜Ｈｅを加算した総合補正値Ａが夫々求められる。
【０１１３】
２つの刺繍領域が並列の位置関係であって、刺繍データを補正するので、図２１に示すように、先ず、矩形図形ＫＡ，ＫＢの刺繍データに基づいて、印刷領域の縫目方向に対応する左右１対の縫目方向外形輪郭については、補正値Ａの半分ずつの収縮が夫々見込まれるため、刺繍領域の対向する１対の縫目方向外形輪郭の内側に、補正値Ａの半分に対応する幅を有する収縮領域Ｐａ，Ｐｂ、Ｐｃ，Ｐｄが夫々求められ、各収縮領域Ｐａ，Ｐｂ、Ｐｃ，Ｐｄに印刷する印刷データが作成される。
【０１１４】
そこで、補正されていない刺繍データに基づいて、刺繍枠５に張られた布地Ｗに刺繍が施された場合、図２１に示すように、矩形図形ＫＡの刺繍領域については、刺繍によりその左右両側の外形輪郭が、補正値Ａの約半分に相当して夫々内側にずれるとともに、矩形図形ＫＢの刺繍領域についても同様に、刺繍によりその左右両側の外形輪郭が、補正値Ａの約半分に相当して夫々内側にずれる。
【０１１５】
そこで、図２２に示すように、矩形図形ＫＡに関して、その刺繍領域の左右両側の収縮領域Ｐａ，Ｐｂの印刷データにより、これら収縮領域Ｐａ，Ｐｂの何れにおいて、刺繍糸と同様の色で印刷されるとともに、矩形図形ＫＢに関して、その刺繍領域の左右両側の収縮領域Ｐｃ，Ｐｄの印刷データにより、これら収縮領域Ｐｃ，Ｐｄの何れにおいて、刺繍糸と同様の色で印刷される。
【０１１６】
このように、データ処理装置１により、作成された又は外部から読込んだ刺繍データに基づいて刺繍を行う場合に、所定の条件に従って布地が収縮する収縮領域Ｐａ，Ｐｂ、Ｐｃ，Ｐｄが求められ、その刺繍が施されない収縮領域Ｐａ，Ｐｂ、Ｐｃ，Ｐｄを補足するように印刷データが作成され、その印刷データで収縮領域Ｐａ，Ｐｂ、Ｐｃ，Ｐｄに補足印刷されるため、刺繍領域の収縮を印刷で補足でき、布製品の風合い感や立体感、更にはゴージャス感を十分に表現することができる。
【０１１７】
次に、前記実施の形態の変更形態について説明する。
【０１１８】
１〕糸密度や刺繍領域の面積、布地種類や糸種類等の刺繍条件の補正値Ｈａ〜Ｈｅは、一例であり、適宜任意の値に設定することができるように、しかも作業者により所望の値に設定できるようにしてもよい。
【０１１９】
２〕補正率ａ，ｂについても一例を示すに過ぎず、適宜任意の値に設定するようにしてもよい。
【０１２０】
３〕読み込んだ画像として、円や湾曲状の曲線を含む図形が含まれており、刺繍データを補正する場合には、縫目ピッチＰが長くなる程、外側輪郭をより外側に移動させるように刺繍領域を拡大補正するようにしてもよい。
【０１２１】
４〕データ処理装置１は刺繍ミシン２とは別体に設けたが、刺繍ミシン２の制御ユニット４２がデータ処理装置１を兼ね備えるように構成するようにしてもよい。この場合、パーソナルコンピュータからなるデータ処理装置１を別途準備しなくてもよく、刺繍ミシン２を有効活用することができる。
【０１２２】
５〕本発明は以上説明した実施の形態に限定されるものではなく、当業者でれば、本発明の趣旨を逸脱しない範囲で、前記実施例に種々の変更を付加して実施することができ、本発明はそれらの変更形態をも包含するものである。
【図面の簡単な説明】
【０１２３】
【図１】本発明の実施例に係るデータ処理装置とインクジェットプリンタを有する刺繍ミシンと枠駆動装置の接続図である。
【図２】データ処理装置の制御系のブロック図である。
【図３】刺繍データのデータ構成を説明する図表である。
【図４】補正値テーブルの設定値を説明する図表である。
【図５】補正率テーブルの設定値を説明する図表である。
【図６】刺繍ミシンとインクジェットプリンタと枠駆動装置の制御系ブロック図である。
【図７】データ処理制御のフローチャートである。
【図８】重複する位置関係におけるデータ補正制御のフローチャートである。
【図９】囲撓する位置関係におけるデータ補正制御のフローチャートである。
【図１０】並列する位置関係における補正制御のフローチャートである。
【図１１】用紙に描かれた樹図柄を示す図である。
【図１２−１】折り返し縫目を含む場合の輪郭点の検出原理を説明する説明図である。
【図１２−２】折り返し縫目を含まない場合の図１２−１相当図である。
【図１３】刺繍条件の設定画面の表示例を示す図である。
【図１４】刺繍データの拡大補正を説明する説明図である。
【図１５】刺繍枠にセットした状態で刺繍と印刷が施された布地の平面図である。
【図１６】用紙に描かれた樹図柄と矩形図柄を示す図である。
【図１７】刺繍条件の設定画面の表示例を示す図である。
【図１８】刺繍枠にセットした状態で刺繍と印刷が施された布地の平面図である。
【図１９】用紙に描かれた２つの矩形図柄を示す図である。
【図２０】刺繍条件の設定画面の表示例を示す図である。
【図２１】刺繍枠にセットした状態で刺繍が施された布地の平面図である。
【図２２】刺繍枠にセットした状態で刺繍と印刷が施された布地の平面図である。
【符号の説明】
【０１２４】
１      データ処理装置
２      刺繍ミシン
３      インクジェットプリンタ
１０    制御装置
Ｗ      布地
【図１】
2006181202.tif 000003
【図２】
2006181202.tif 000004
【図３】
2006181202.tif 000005
【図４】
2006181202.tif 000006
【図５】
2006181202.tif 000007
【図６】
2006181202.tif 000008
【図７】
2006181202.tif 000009
【図８】
2006181202.tif 000010
【図９】
2006181202.tif 000011
【図１０】
2006181202.tif 000012
【図１１】
2006181202.tif 000013
【図１２−１】
2006181202.tif 000014
【図１２−２】
2006181202.tif 000015
【図１３】
2006181202.tif 000016
【図１４】
2006181202.tif 000017
【図１５】
2006181202.tif 000018
【図１６】
2006181202.tif 000019
【図１７】
2006181202.tif 000020
【図１８】
2006181202.tif 000021
【図１９】
2006181202.tif 000022
【図２０】
2006181202.tif 000023
【図２１】
2006181202.tif 000024
【図２２】
2006181202.tif 000025